(57)【要約】      （修正有）【課題】手を濡らすことなく米を研ぐことができるようにした安価な米研ぎ器を提供する。【解決手段】上端１ａを開口した容器本体１と該容器本体の当該上端に着脱自在に備えさせた蓋体３とよりなり、該容器本体には、米粒５を通過させない多数の排水孔７を備えさせ、該蓋体には、該蓋体の上方に突出したハンドル９により回転する内歯歯車１１と該内歯歯車に歯合するピニオン１３とを配設し、該ピニオンには該ピニオンと共に回転する支軸１５を容器本体内に延設し、該支軸に攪拌アーム１７を取り付け、さらに、該蓋体には押え部と水の注入口２３とを備えさせたことを特徴とする米研ぎ器。【選択図】図１
0003142211.tif 000002
【実用新案登録請求の範囲】
【請求項１】
上端を開口した容器本体と該容器本体の当該上端に着脱自在に備えさせた蓋体とよりなり、
該容器本体には、米粒を通過させない多数の排水孔を備えさせ、
該蓋体には、該蓋体の上方に突出したハンドルにより回転する内歯歯車と該内歯歯車に歯合するピニオンとを配設し、該ピニオンには該ピニオンと共に回転する支軸を容器本体内に延設し、該支軸に攪拌アームを取り付け、
さらに、該蓋体には押え部と水の注入口とを備えさせたことを特徴とする米研ぎ器。
【請求項２】
上端を開口した容器本体と該容器本体の当該上端に着脱自在に備えさせた蓋体とよりなり、
該容器本体には排水孔を備えさせると共に、該容器本体内には米粒を通過させない多数の透孔を有するザル体を着脱自在に備えさせ、
該蓋体には、該蓋体の上方に突出したハンドルにより回転する内歯歯車と該内歯歯車に歯合するピニオンとを配設し、該ピニオンには該ピニオンと共に回転する支軸を容器本体内に延設し、該支軸に攪拌アームを取り付け、
さらに、該蓋体には押え部と水の注入口とを備えさせたことを特徴とする米研ぎ器。
【請求項３】
前記容器本体の底部には流しの傾斜に対応する傾斜を備えた載置台を着脱自在に備えさせたことを特徴とする請求項１又は２に記載の米研ぎ器。
【考案の詳細な説明】
【技術分野】
【０００１】
本考案は、米研ぎ器に関するものであり、特に手を濡らすことなく米を研ぐことができるようにした米研ぎ器に係るものである。
【背景技術】
【０００２】
米を研ぐ際には、一般に、米を入れた容器内に水を注入し、該容器内の水中にて米を手でこするという手法が用いられている。
【０００３】
しかるに、このようにして米を研ぐ場合には、作業者の手の表面が荒れるのみならず、手の爪が長いときには該爪が損傷するおそれがある。したがって、特に、長い爪にマニキュアを施している人は、手で米を研ぐことを嫌い、これを避けようとする傾向がある。
【０００４】
また、寒冷時に冷たい水中に手を入れて米を研ぐことは、何人にとっても辛いものである。
【０００５】
このような状況に鑑み、例えば特開平５−９２１４２号公報に示す如き電動米研ぎ機（以下「従来の電動米研ぎ機」という。）が提案されている。
【０００６】
従来の電動米研ぎ機は、容器内に攪拌羽根を配設し、該攪拌羽根を電気モータにより回転させるようになし、さらに、該電気モータを作動させる時間を設定するためのタイマーを備えさせてなるものである。
【特許文献１】特開平５−９２１４２号公報
【考案の開示】
【考案が解決しようとする課題】
【０００７】
従来の電動米研ぎ機によれば、手を濡らすことなく米を研ぐことができるが、従来の電動米研ぎ機は、電気モータ、タイマー等を備えているため、製造コストが嵩むという問題がある。
【０００８】
本考案は、従来の電動米研ぎ機における上述の如き問題を解決し、手を濡らすことなく米を研ぐことができるようにした安価な米研ぎ器を提供しようとしてなされたものである。
【課題を解決するための手段】
【０００９】
上記課題を解決するために、本考案は、下記の米研ぎ器を提供するものである。
【００１０】
（１）上端を開口した容器本体と該容器本体の当該上端に着脱自在に備えさせた蓋体とよりなり、
該容器本体には、米粒を通過させない多数の排水孔を備えさせ、
該蓋体には、該蓋体の上方に突出したハンドルにより回転する内歯歯車と該内歯歯車に歯合するピニオンとを配設し、該ピニオンには該ピニオンと共に回転する支軸を容器本体内に延設し、該支軸に攪拌アームを取り付け、
さらに、該蓋体には押え部と水の注入口とを備えさせたことを特徴とする米研ぎ器（請求項１）。
【００１１】
（２）上端を開口した容器本体と該容器本体の当該上端に着脱自在に備えさせた蓋体とよりなり、
該容器本体には排水孔を備えさせると共に、該容器本体内には米粒を通過させない多数の透孔を有するザル体を着脱自在に備えさせ、
該蓋体には、該蓋体の上方に突出したハンドルにより回転する内歯歯車と該内歯歯車に歯合するピニオンとを配設し、該ピニオンには該ピニオンと共に回転する支軸を容器本体内に延設し、該支軸に攪拌アームを取り付け、
さらに、該蓋体には押え部と水の注入口とを備えさせたことを特徴とする米研ぎ器（請求項２）。
【００１２】
（３）前記容器本体の底部には流しの傾斜に対応する傾斜を備えた載置台を着脱自在に備えさせる（請求項３）。
【００１３】
［考案の作用］
［請求項１の考案］
請求項１の考案による米研ぎ器を使用する際には、次のようになす。
【００１４】
蓋体を容器本体から取り外し、容器本体内に米を入れ、蓋体を容器本体に取り付け、蓋体の注水口より容器本体内に適量の水を注入する。なお、蓋体を容器本体から取り外した状態で容器本体内に適量の水を注入しても差し支えない。
【００１５】
容器本体に蓋体を取り付け、蓋体の押え部を手又は指で押えることにより該蓋体の動きを阻止した状態でハンドルを回転させる。しかるときは、内歯歯車が回転し、該内歯歯車に歯合するピニオンも回転する。すると、支軸がピニオンと共に回転し、支軸に取り付けられた攪拌アームが容器本体内で回転し、容器本体内の米を研ぐ。このとき、ピニオンと支軸と攪拌アームは、ハンドルと内歯歯車よりも高い速度で回転する。ハンドルは、一定方向に連続回転させる必要はなく、むしろ時計方向と反時計方向とに交互に回転ないし回動させることが望ましい。
【００１６】
容器本体内に注入された水は、多数の排水孔より容器本体外に排水されるが、容器本体内の米は該排水孔から容器本体外に排出されない。米研ぎ作業中、水は容器本体内に常時少量ずつ注入し続けてもよいが、断続的に容器本体内に注入しても差し支えない。
【００１７】
米研ぎ作業の終了後、容器本体内の水を排水し、蓋体を容器本体から取り外し、容器本体内の米を炊飯器等の炊飯手段に移し、炊飯する。
【００１８】
［請求項２の考案］
請求項２の考案による米研ぎ器は、容器本体内にザル体を着脱自在に備えているため、米は容器本体内に嵌められたザル体内で研がれる。米研ぎ作業の終了後、ザル体を米と共に容器本体から取り出し、ザル体内の米を炊飯器等の炊飯手段に移し、炊飯する。
【００１９】
［請求項３の考案］
請求項３の考案による米研ぎ器は、容器本体の底部には流しの傾斜に対応する傾斜を備えた載置台を着脱自在に備えさせているため、載置台を容器本体の底部に取り付けた状態で米研ぎ器を流しの傾斜面に所定の方向で置いたときには、容器本体は水平状態になる。
【考案の効果】
【００２０】
［請求項１の考案］
請求項１の考案による米研ぎ器は、電気モータ等を使用しない手動式のものであって、構造が簡単であるため、安価に提供することができる。
【００２１】
また、この米研ぎ器は、ハンドルを回転させることにより攪拌アームをハンドルよりも高い速度で回転させて米を研ぐようにしているため、米を効率よく、確実に研ぐことができる。また、作業者はハンドルを回転させる時間、速さ、方向等を自在に調節することができる。
【００２２】
なお、この米研ぎ器を使用したときには、手を濡らすことなく米を研ぐことができることはいうまでもない。したがって、米研ぎ作業による手の表面の荒れ、爪の損傷等は完全に防止され、寒冷時に冷たい水を用いた米研ぎの辛さも解消する。
【００２３】
［請求項２の考案］
請求項２の考案によれば、米研ぎ作業の終了後、ザル体を米と共に容器本体から取り出し、ザル体内の米を炊飯器等の炊飯手段に移すことができる。すなわち、研ぎ終った米を炊飯器等の炊飯手段に移す作業が極めて容易である。
【００２４】
［請求項３の考案］
請求項３の考案によれば、載置台を容器本体の底部に取り付けた状態で米研ぎ器を流しの傾斜面に所定の方向で置いたときには、容器本体は水平状態になるため、流しの傾斜面上でも、支障なく米研ぎ作業を行うことができる。
【考案を実施するための最良の形態】
【００２５】
本考案による米研ぎ器は、上端１ａを開口した容器本体１と該容器本体１の当該上端１ａに着脱自在に備えさせた蓋体３とよりなる。
【００２６】
容器本体１には、米粒５を通過させない多数の排水孔７を備えさせる。
【００２７】
蓋体３には、該蓋体３の上方に突出したハンドル９により回転する内歯歯車１１と該内歯歯車１１に歯合するピニオン１３とを配設する。ピニオン１３には該ピニオン１３と共に回転する支軸１５を容器本体１内に延設し、該支軸１５に攪拌アーム１７を取り付ける。
【００２８】
攪拌アーム１７の先端には球状部１９を設けることが望ましい。
【００２９】
蓋体３には、押え部２１を備えさせる。押え部２１は、該押え部２１を手又は指で押えることにより、ハンドル９を回転させたときに蓋体３の動きを阻止し得るものであれば如何なるものでもよいが、例えば図３に示す如き凹部とする。また、押え部２１は、凸部或いは透孔であっても差し支えない。
【００３０】
蓋体には水の注入口２３を備えさせる。
【００３１】
注入口２３には、好ましくは、上方に向かって直径が徐々に大きくなる漏斗状の水案内手段２５を着脱自在に取り付ける。水案内手段２５は、米研ぎ器の非使用時には容器本体１内に収納する。漏斗状の水案内手段２５は、水の注入時に水はねを防止する。
【００３２】
容器本体１内には米粒５を通過させない多数の透孔２７を有するザル体２９を着脱自在に備えさせてもよい。この場合には、容器本体１の排水孔７は、米粒５を通過させるものであっても差し支えない。
【００３３】
ザル体２９は、一例として、合成樹脂により一体的に形成してなるものとする。
【００３４】
図４に示す事例においては、ザル体２９の上縁２９ａに係止突起３１を備えさせ、容器本体１の上縁１ｂには該係止突起３１を受ける受け部３３を備えさせている。この事例においては、ザル体２９の係止突起３１を容器本体１の受け部３３に受けさせることにより、ザル体２９を容器本体１内に回転不能、かつ、着脱自在に取り付けている。
【００３５】
容器本体１の底部１ｃには流し３５の傾斜に対応する傾斜を備えた載置台３７を着脱自在に備えさせる。
【図面の簡単な説明】
【００３６】
【図１】本考案による米研ぎ器の一例を示す断面図である。
【図２】蓋体を概略的に示す説明図である。
【図３】蓋体の押え部の一例を示す断面図である。
【図４】ザル体と容器本体とを示す斜視図である。
【符号の説明】
【００３７】
１  容器本体
１ａ  上端
１ｂ  上縁
１ｃ  底部
３  蓋体
５  米粒
７  排水孔
９  ハンドル
１１  内歯歯車
１３  ピニオン
１５  支軸
１７  攪拌アーム
１９  球状部
２１  押え部
２３  注入口
２５  水案内手段
２７  透孔
２９  ザル体
２９ａ  上縁
３１  係止突起
３３  受け部
３５  流し
３７  載置台
【図１】
0003142211.tif 000003
【図２】
0003142211.tif 000004
【図３】
0003142211.tif 000005
【図４】
0003142211.tif 000006